(57)【要約】【課題】非使用時には平板状に折り畳むことで、薄型の収納箱へ格納することができると共に、取り出された場合には、自律的に立体形状が復元され、かつ初期組み立てが容易で簡易な構造を有し、復元動作による視覚的効果によって、宣伝広告機能の高いディスプレイ装置を提供する【解決手段】  薄型収納箱と、上記薄型収納箱に収納されると共に使用時には取り出されてディスプレイ部材を構成するディスプレイ本体とを有し、上記ディスプレイ本体は、上記薄型収納箱に収納されている際には平板状に折り畳まれ、取り出された場合には、内部に配置された付勢部材の付勢力により自律的に多面体を形成する構成とする。【選択図】図１
0003132384.tif 000002
【実用新案登録請求の範囲】
【請求項１】
薄型収納箱と、上記薄型収納箱に収納されると共に使用時には取り出されてディスプレイ部材を構成するディスプレイ本体とを有し、
上記ディスプレイ本体は、上記薄型収納箱に収納されている際には平板状に折り畳まれ、取り出された場合には、内部に配置された付勢部材の付勢力により自律的に多面体を形成することを特徴とするディスプレイ装置。
【請求項２】
上記ディスプレイ本体は６面体により形成され、
上面部及び下面部には、互いに平行な一方の対角線に添って切込みが設けられると共に上記対角線に交差する他方の対角線上には折筋が設けられることにより、上記上面部及び下面部が内方へ折り曲げ可能に形成され、
上記付勢部材は、上記他方の対角線に沿って、互いに対向する側方角部の間に設けられ、常時、上記側方角部を相互に近接させる付勢力を付与し、
折り畳み時には、上記付勢力に抗して、他方の折筋に沿って各側面部を互いに近接するように内方へ押圧して折り曲げて、上記上面部及び下面部において上記折筋により画成される２つの半部を互いに当接させると共に、隣接する各側面部を相互に当接させることにより薄型方形に折り畳まれ、
使用時には、上記付勢部材の付勢力により、互いに当接している上記各側面部が拡開すると共に、上記２つの半部が互いに内方縁部で当接することにより６面体が形成されることを特徴とする請求項１記載のディスプレイ装置。
【請求項３】
上記ディスプレイ本体は立方体であると共に、上記収納箱は平面長方形状に形成されていることを特徴とする請求項１または２のいずれか１項に記載のディスプレイ装置。
【請求項４】
上記ディスプレイ本体の各面部には適宜のディスプレイが表示されることを特徴とする請求項１〜３のいずれか１項に記載のディスプレイ装置。
【請求項５】
上記収納箱及び上記ディスプレイ本体は厚紙により形成されていることを特徴とする、請求項１〜4のいずれか１項に記載のディスプレイ装置。
【請求項６】
上記付勢部材は、ゴムひもにより形成されていることを特徴とする請求項１〜５のうち、いずれか１項に記載のディスプレイ装置。
【請求項７】
上記箱型収納箱は、ダイレクトメールとして郵送される大きさ寸法に形成されていることを特徴とする、請求項１〜６のうちいずれか１項に記載のディスプレイ装置。
【考案の詳細な説明】
【技術分野】
【０００１】
本考案はディスプレイ装置に係り、特に厚紙等の軽量、簡易な素材によって構成され、薄型に折り畳みが可能で、搬送等が容易であると共に、ディスプレイとして使用する際は、自動的に形状復元が可能なディスプレイ装置に関する。
【背景技術】
【０００２】
立体形状のディスプレイ装置を、ダイレクトメール等で簡便に送付するためには、郵便で配達可能な形状に折り畳みが可能である必要がある。
立体的形状を折り畳む方法としては、一旦展開した上で折り畳む方法、立体形状のまま、所定の折線に合わせて平面状に折り畳む等の方法が考えられるが、いずれの場合でも、元の立体形状を復元するためには、送付された側で、組み立て作業が必要であり、面倒である上に、ディスプレイ広告等で用いる場合のインパクトは弱く宣伝広告効果が低いものとなる。
【０００３】
平面状に折り畳んだ後、自動的に元の立体形状を復元可能としたディスプレイ装置としては、実登３１０３９９２号のような例がある。
図７に記載の通り、上記の実用新案登録に係るディスプレイ装置８０は、厚紙を用いて全体円筒状に形成され、支柱部８１と、この支柱部８１の周囲を覆う側面板部８２と、上記支柱部８１の上端部及び下端部に設けられた上面板部８３と下面板部８４とを備えている。
上記上面板部８３及び下面板部８４は、同一半径を有する平面円形に形成されると共に、上記側面板部８２は上記上面板部８３及び下面板部８４の周縁部に接合し得るように形成されている。
【０００４】
上記上面板部８３及び下面板部８４の直径位置には互いに対向して一対のヒンジ部８６、８６が、上面板部８３及び下面板部８４の間においても同一部位に形成されている。従って、上面板部８３及び下面板部８４はこれらのヒンジ部８６、８６、８６、８６を介して夫々、側面板部８２の上端部及び下端部内方部位に接合されている。
上記支柱部８１は側面長方形板状に形成され、その両端縁には上記側面板部８２の付勢部材の係止部８７、８７がそれぞれ当接している。
【０００５】
更に付勢部材８９、８９が、係止孔９０と上記係止部８７、８７に設けられた側面板部側係止孔８８との間に緊張状態を持って張設され、常時、支柱部８１の両側縁部に対して上記係止部８７、８７を圧接させる付勢力が作用している。
その結果、上面板部８３および下面板部８４は側面板部８２の内周縁部に圧接しており、側面板部８２、支柱部８１、上面板部８３および下面板部８４とにより所定の強度を有する構造体が形成される。
このディスプレイ装置８０を撤去、搬送する場合には、上記ディスプレイ装置８０を持ち上げ、上記支柱上端部８５を手により操作して、上記付勢部材８９、８９の付勢力に抗してディスプレイ装置８０の下方に押圧して、ヒンジ部８６、８６を介して上面板部８３および下面板部８４を下方へ傾斜させ、上面板部８３および下面板部８４の周縁部９１と側面板部８２との間の当接状態を解除する。
支柱部８１は上記係止部８７、８７に沿って下方へスライドし、上記ヒンジ部８６、８６を介して側面板部８２の上端部および下端部を、それぞれ、折り畳み線９２に沿って内方に２つに折り畳まれる。
その結果、ディスプレイ装置８０の高さ方向に沿って形成されている、上記側面板部８２を形成する厚紙の接合部位に形成される折りたたみ線９３、９３に沿って直径方向に２つに折り畳まれることとなる。
【０００６】
しかしながら、このような上記ディスプレイ装置は、商品等を展示する為のみに使用される、大型のディスプレイである。また、初期組立て時は複数の展開部品が必要であり、組み立て手順も複雑である。また、折り畳まれた状態で、支柱部の下端部は、折り畳まれた側面部の下部からはみ出る形となり定型の収納箱には収め難い。
【考案の開示】
【考案が解決しようとする課題】
【０００７】
そこで本考案は、非使用時には平板状に折り畳むことで、薄型の収納箱へ格納することができると共に、取り出された場合には、自律的に立体形状が復元され、かつ初期組み立てが容易で簡易な構造を有し、復元動作による視覚的効果によって、宣伝広告機能の高く、かつ、ダイレクトメール等の郵送にも適したディスプレイ装置を提供することを目的としている。
【課題を解決するための手段】
【０００８】
上記目的を達成するために、請求項１に記載の考案にかかるディスプレイ装置においては、薄型収納箱と、上記薄型収納箱に収納されると共に使用時には取り出されてディスプレイ部材を構成するディスプレイ本体とを有し、上記ディスプレイ本体は、上記薄型収納箱に収納されている際には平板状に折り畳まれ、取り出された場合には、内部に配置された付勢部材の付勢力により自律的に多面体を形成することを特徴とする。
【０００９】
すなわち、本考案に係るディスプレイ装置にあっては、収納箱から取り出すと同時に、多面体のディスプレイ装置が自動的に形成される。
【００１０】
また、請求項２に記載の考案にかかるディスプレイ装置においては、上記ディスプレイ本体は６面体により形成され、上面部及び下面部には、互いに平行な一方の対角線に添って切込みが設けられると共に上記対角線に交差する他方の対角線上には折筋が設けられることにより、上記上面部及び下面部が内方へ折り曲げ可能に形成され、上記付勢部材は、上記他方の対角線に沿って、互いに対向する側方角部の間に設けられ、常時、上記側方角部を相互に近接させる付勢力を付与し、折り畳み時には、上記付勢力に抗して、他方の折筋に沿って各側面部を互いに近接するように内方へ押圧して折り曲げて、上記上面部及び下面部において上記折筋により画成される２つの半部を互いに当接させると共に、隣接する各側面部を相互に当接させることにより薄型方形に折り畳まれ、使用時には、上記付勢部材の付勢力により、互いに当接している上記各側面部が拡開すると共に、上記２つの半部が互いに内方縁部で当接することにより６面体が形成されることを特徴とする。
【００１１】
すなわち、本考案に係るディスプレイ装置にあっては、６面体外面に特段の追加部材を設けることなく、薄型方形に折り畳むことができる。
【００１２】
また、請求項３に記載の考案にかかるディスプレイ装置においては、上記ディスプレイ本体は立方体であると共に、上記収納箱は平面長方形状に形成されていることを特徴とする。
【００１３】
すなわち、本体を収納箱に収納した状態において、郵送等で送付が可能なコンパクトな形状となり、また大型に形成した場合には搬送等の取り扱いが容易となる。
【００１４】
また、請求項４に記載の考案にかかるディスプレイ装置においては、上記ディスプレイ本体の各面部には適宜のディスプレイが表示されることを特徴とする。
【００１５】
すなわち、多面体の各面部に、様々な広告を表示することができ、宣伝広告的効果が生ずる。
【００１６】
また、請求項５に記載の考案にかかるディスプレイ装置においては、上記収納箱及び上記ディスプレイ本体は厚紙により形成されていることを特徴とする。
【００１７】
すなわち、製作時において加工がし易く、且つ軽量なディスプレイ装置が得られる。
【００１８】
また、請求項６に記載の考案にかかるディスプレイ装置においては、上記付勢部材は、ゴムひもにより形成されていることを特徴とする。
【００１９】
すなわち、ゴムの付勢力により、ディスプレイ装置を収納箱から取り出した際、自発的に目的の多面体形状に復元される。
【００２０】
また、請求項７に記載の考案に係るディスプレイ装置においては、上記箱型収納箱は、ダイレクトメールとして郵送される大きさ寸法に形成されていることを特徴とする。
【００２１】
すなわち、収納箱に収納した状態で、ディスプレイ装置を郵送により送付することができる。
【考案の効果】
【００２２】
請求項１の考案にあっては、薄型収納箱と、上記薄型収納箱に収納されると共に使用時には取り出されてディスプレイ部材を構成するディスプレイ本体とを有し、上記ディスプレイ本体は、上記薄型収納箱に収納されている際には平板状に折り畳まれ、取り出された場合には、内部に配置された付勢部材の付勢力により自律的に多面体を形成する。
したがって、折り畳んだ状態で、ダイレクトメール等で上記ディスプレイを送付可能であり、受領した者が、収納箱から取り出すと同時に、多面体に復元するため、復元動作によるインパクトが大きく、宣伝広告としての効果が大きいディスプレイ装置を提供できる。
【００２３】
請求項２の考案にあっては、上記ディスプレイ本体は６面体により形成され、上面部及び下面部には、互いに平行な一方の対角線に添って切込みが設けられると共に上記対角線に交差する他方の対角線上には折筋が設けられることにより、上記上面部及び下面部が内方へ折り曲げ可能に形成され、上記付勢部材は、上記他方の対角線に沿って、互いに対向する側方角部の間に設けられ、常時、上記側方角部を相互に近接させる付勢力を付与し、折り畳み時には、上記付勢力に抗して、他方の折筋に沿って各側面部を互いに近接するように内方へ押圧して折り曲げて、上記上面部及び下面部において上記折筋により画成される２つの半部を互いに当接させると共に、隣接する各側面部を相互に当接させることにより薄型方形に折り畳まれ、使用時には、上記付勢部材の付勢力により、互いに当接している上記各側面部が拡開すると共に、上記２つの半部が互いに内方縁部で当接することにより６面体が形成される。
したがって、６面体外面に特別な部材を用いることなく、容易に折り畳み操作を行うことが可能である。
また、立体形状復元時は６面体ゆえ安定性が良く、より視覚的に美しいディスプレイ装置を提供することが可能である。
【００２４】
請求項３の考案にあっては、上記ディスプレイ本体は立方体であると共に、上記収納箱は平面長方形状に形成されている。
したがって、収納箱に収納した場合は、コンパクトで且つ取り扱いが容易となる。
また、立体形状復元時は立法体ゆえ安定性が良く、より視覚的に美しいディスプレイ装置を提供することが可能である。
【００２５】
請求項４の考案にあっては、上記ディスプレイ本体の各面部には適宜のディスプレイが表示されることから、より宣伝広告機能の高いディスプレイ装置を提供することができる。
【００２６】
請求項５の考案にあっては、上記収納箱及び上記ディスプレイ本体は厚紙により形成されていることから、製作時の加工がし易く、軽量持ち運びが容易で、且つ安価なディスプレイ装置を提供できる。
【００２７】
請求項６の考案にあっては、上記付勢部材は、ゴムひもにより形成されていることから、軽量且つ安価なディスプレイ装置を提供できる。
【００２８】
請求項７の考案にあっては、上記箱型収納箱は、ダイレクトメールとして郵送される大きさ寸法に形成されているため、ディスプレイをダイレクトメールで送付することが可能である。この場合、受領者が収納箱からディスプレイ本体を取り出した際の復元動作による視覚的驚きは大きく、宣伝広告効果の高いディスプレイ装置を提供することができる。
【考案を実施するための最良の形態】
【００２９】
以下図面を用いて、本考案の実施の形態について説明する。
本考案に係るディスプレイ装置は、図１、図２及び図６に示すとおり、薄型収納箱１１と上記収納箱１１に収納されるディスプレイ本体１０からなる。
上記ディスプレイ本体１０は、上記収納箱１１に収納されている際には平板状に折り畳まれ、取り出された場合に自立的に多面体形状を復元するための付勢部材１６が上記本体１０の内部に配置されている。
【００３０】
上記ディスプレイ本体１０は６面体で構成されており、上面部１２と下面部１３には、互いに平行な一方の対角線に添って切込み１４が設けられると共に、上記対角線に交差する他方の対角線上には、収納用折筋１５設けられている。上記上面部１２と下面部１３は、上記切込み１４と折筋１５にて、上面半部１２ａ，１２ｂ，１２ｃ，１２ｄ及び、下面半部１３ａ，１３ｂ，１３ｃ，１３ｄに区分けされる。
上記付勢部材１６は、上記他方の対角線にそって互いに対向する側方角部１７の間に設けられた付勢部材係止片１８に係止され、常時、上記側方角部１７を相互に近接させる付勢力を付与している。
【００３１】
上記ディスプレイ本体１０の６面体は立方体であると共に、上記収納箱１１は平面長方形状に形成されている。
【００３２】
さらに上記ディスプレイ本体１０の側面部２０ａ、２０ｂ、２０ｃ、２０ｄ、及び上面部１２、下面１３には、適宜のディスプレイが形成されている。
【００３３】
また、上記収納箱１１と上記ディスプレイ本体１０は厚紙によって形成されている。
【００３４】
また、上記付勢部材１６はゴムひもにより形成されている。
【実施例】
【００３５】
図１乃至６は、本考案に係るディスプレイ装置を郵便により郵送できる大きさに適用した実施例を示したものである。
【００３６】
本考案に係るディスプレイ装置のディスプレイ本体１０は、１枚の厚紙３０を切り起こして形成されている。
上記ディスプレイ本体１０は、図３に示すとおり、その展開状態において４枚の側面部形成部４０，４１，４２，４３が連接されており、上記各側面部形成部４０〜４３の連接方向に直行する両端部には、それぞれ上面部形成片部４５，４６，４７，４８及び下面部形成片部４９、５０、５１，５２が延設されている。
また、上記側面部形成部４０の連接方向の対向側端部には、上記側面部形成部４３の連接方向の対向側部と接合するための、接合片部５３が延設されている。
また、上記上面部形成片部４５、４７には、夫々上記上面部形成片部４６，４８と接合するための、接合片部５４，５５が延設されていると共に、上記下面部形成片部５０、５２には、夫々、上記下面部形成片部４９，５１と接合するための、接合片部５６，５７が延設されている。
また、上記側面部形成部４０、４１は付勢部材係止片形成部５８を介して連接され、上記側面部形成部４２、４３は付勢部材係止片形成部５９を介して連接されている。
上記付勢部材係止片形成部５８，５９の略中央部には付勢部材１６を係止するための係止孔６０，６１が設けられている。
また、上記ディスプレイ本体１０の組み立て用の折り筋６２ａ〜６２ｔが夫々必要箇所に設けられている。
さらに、上記側面部形成部４０〜４３の裏面上には、適宜のディスプレイが表示されている。
【００３７】
上記展開構成に基づき、上記ディスプレイ本体１０は、以下の通り組み立てられている。
図３、図１に示すとおり、厚紙３０は、上記側面部形成部４０〜４３の連接部分の折り筋６２ｂ、ｄ、ｆ、ｈ、ｋ、ｍに添って折り曲げられ、上記側面部形成部４０、４３が接合片部５３で接合されることで、側面部２０ａ、２０ｂ、２０ｃ、２０ｄが形成される。
この際、折り筋６２ｏと６２ｑは上記ディスプレイ本体１０の内方に突出する方向に折り曲げられることで付勢部材係止片１８を形成すると共に、上記側面部形成部４０，４１の折筋６２ｄ、６２ｆ、及び４２，４３の折筋６２ｄ、６２ｆが互いに当接する。
上面部形成部４５〜４８は夫々折筋６１ａ、６１ｅ、６１ｉ、６１ｌで内方に折り曲げられ、下面部形成部４９〜５２は夫々折筋６１ｃ、６１ｇ、６１ｊ、６１ｎで内方に折り曲げられる。
上面形成部４５と４６は接合片５４を介して互いに接合され、上面形成部４７，４８は接合片５５を介して互いに接合されることで、夫々上面半部１２ａ，１２ｂ，１２ｃ，１２ｄを形成すると共に、折筋５４、５５は収納用折筋１５，１５を形成する。
また、下面形成部５２と５１は接合片５７を介して互いに接合され、下面形成部５０，４９は接合片５６を介して互いに接合されることで、夫々下面半部１３ａ，１３ｂ，１３ｃ，１３ｄを形成すると共に、折筋５７，５６は収納用折筋１５を形成する。
上記上面半部１２ａ，１２ｂと１２ｃ、１２ｄの接合部でない端部と、夫々下面半部１３ａ，１３ｂと１３ｃ，１３ｄの接合部でない端部は、互いに当接することで、切込み部１４，１４を形成する。
付勢部材係止片形成部５８，５９に設けられた係止孔６０、６１には、付勢部材としてのゴムひも１６が係止される。
以上により、図１に示す、ディスプレイ本体１０が組み立てられる。
【００３８】
次に、上記ディスプレイ本体１０を折り畳み、収納箱１１へ収納する際の手順について詳述する。
図４，５に示した通り、上記ディスプレイ本体１０の上面部１２及び下面部１３を、折筋１５，１５に沿って、内方に折り曲げることで、上記上面部１２と上記下面部の切込み部１４，１４が開放状態となる。
この状態において、上記ディスプレイ本体１０の側方角部１７を、付勢部材１６の付勢力に抗して外方に引かれ、上記切込み部１４の開放状態が大きくなり、上面半部１２ａと１２ｂ及び１２ｃと１２ｄは互いにディスプレイ本体１０の内面にて当接し、同様に下面半部１３ａと１３ｂ及び１３ｃと１３ｄもディスプレイ本体１０の内面にて当接する。
また、上記に伴い、側面部２０ａと２０ｂ、及び２０ｃと２０ｄについても、ディスプレイ本体１０の内面で当接する。
以上により、ディスプレイ本体１０は平面長方形状に折り畳まれ、折り畳み後は、図６に示したとおり、薄型収納箱１１に収納可能となる。収納後はダイレクトメール等でも送付可能となり、非常に搬送が容易となる。
この際、従来技術において、折り畳みを可能とする目的で必要とされた、支柱部、支柱上端部等、ディスプレイの本来の形状と別途の構成部品は不要であり、ディスプレイ本体１０の外表面に特段の突起部等は生じない。
【００３９】
また上記収納箱から取り出した場合は、上記付勢部材１６の付勢力により互いに当接している上記側面部２０ａと２０ｂ、及び２０ｃと２０ｄが拡開すると共に、上面半部１２ａ、１２bと１２ｃ、１２ｄ、下面半部１３ａ、１３ｂと１３ｃ、１３ｄが互いに内方縁部で当接することで立方体からなるディスプレイ本体１０が復元形成される。
この場合、略、一挙動により立方体からなるディスプレイ本体１０が復元されることにより、郵便を受取って開封した場合、上記動作による視覚的な驚きは大きく、表面に表示されているディスプレイの印象もより強いものとなる。従って従来のダイレクトメールによる広告に比して遥かに大きな宣伝効果を得ることが可能となる。
【産業上の利用可能性】
【００４０】
本製品は、物品を陳列するためのディスプレイ装置と共に、立体形状の広告を折り畳み
ダイレクトメールで送付する場合の広告用ディスプレイとしても用いることが可能である。
【図面の簡単な説明】
【００４１】
【図１】本考案に係るディスプレイ装置のディスプレイ装置本体の斜視図
【図２】上記ディスプレイ本体の高さ方向中央における断面図
【図３】上記ディスプレイ本体の展開図
【図４】上記ディスプレイ本体の折り畳み開始時形状
【図５】上記ディスプレイ本体の折り畳み終了時形状
【図６】上記ディスプレイ本体を薄型収納箱に収納する場合のイメージ図
【図７】従来の折り畳み式ディスプレイの斜視図
【符号の説明】
【００４２】
１０    ディスプレイ本体
１１    薄型収納箱
１２    上面部
１２ａ  上面部半部
１２ｂ  上面部半部
１２ｃ  上面部半部
１２ｄ  上面部半部
１３    下面部
１３ａ  下面部半部
１３ｂ  下面部半部
１３ｃ  下面部半部
１３ｄ  下面部半部
１４    切込み
１５    収納用折筋
１６    付勢部材
１７    側方角部
１８    付勢部材係止片
２０ａ  側面部
２０ｂ  側面部
２０ｃ  側面部
２０ｄ  側面部
３０    厚紙
４０    側面部形成部
４１    側面部形成部
４２    側面部形成部
４３    側面部形成部
４５    上面部形成部
４６    上面部形成部
４７    上面部形成部
４８    上面部形成部
４９    下面部形成部
５０    下面部形成部
５１    下面部形成部
５２    下面部形成部
５３    接合片部
５４    接合片部
５５    接合片部
５６    接合片部
５７    接合片部
５８    付勢部材係止片形成部
５９    付勢部材係止片形成部
６０    係止孔
６１    係止孔
６２ａ乃至６２ｔ  折筋
【図１】
0003132384.tif 000003
【図２】
0003132384.tif 000004
【図３】
0003132384.tif 000005
【図４】
0003132384.tif 000006
【図５】
0003132384.tif 000007
【図６】
0003132384.tif 000008
【図７】
0003132384.tif 000009